【手続補正書】
【提出日】平成20年7月29日(2008.7.29)
【手続補正１】
【補正対象書類名】明細書
【補正対象項目名】特許請求の範囲
【補正方法】変更
【補正の内容】
【特許請求の範囲】
【請求項１】
発呼ファックス装置が、発呼トーンを被呼ファックス装置に送ることによって被呼ファックス装置と通信し、被呼ファックス装置が情報フラグを発呼ファックス装置に送るファックスシステム中で、ファックス通話を検出する方法において、
（ａ）検出しきい値を初期化するステップと、
（ｂ）発呼トーンが発呼ファックス装置から被呼ファックス装置に送信されたか否かを検出するステップと、
（ｃ）ステップ（ｂ）において発呼トーンが検出された場合に、検出しきい値をデクリメントするステップと、
（ｄ）被呼ファックス装置から送られた信号を検出器でモニタすることによって、フラグ基準を発生させるステップと、
（ｅ）フラグ基準を検出しきい値と比較するステップと、
（ｆ）ステップ（ｅ）の結果にしたがって、ファックス通話を検出するステップとを含み、
フラグ基準は、検出器によって検出された情報フラグの数を表している方法。
【請求項２】
フラグ基準は、ステップ（ｄ）において、信号中のパラメータをモニタすることによって発生され、パラメータは、信号の中に存在する選択された情報フラグの数を表している請求項１記載の方法。
【請求項３】
選択された情報フラグは、Ｖ．２１標準規格に準拠するメッセージのプリアンブル中のフラグを表す請求項２記載の方法。
【請求項４】
ステップ（ｄ）においてモニタされたパラメータは、信号に関係するインバンド電力レベルに対応する請求項２記載の方法。
【請求項５】
インバンド電力レベルは、約１６５０Ｈｚと１８５０Ｈｚとに置かれた周波数帯の電力に対応する請求項４記載の方法。
【請求項６】
ステップ（ｄ）においてモニタされたパラメータは、信号に関係するスペクトル形状にしたがって決定される請求項２記載の方法。
【請求項７】
発呼ファックス装置が発呼トーンを被呼ファックス装置に送ることによって被呼ファックス装置と通信し、被呼ファックス装置が識別トーンおよび情報フラグを発呼ファックス装置に送ることによって発呼トーンに応答するファックスシステム中で、ファックス通話を検出する方法において、
（ａ）検出しきい値を初期化するステップと、
（ｂ）識別トーンが被呼ファックス装置から発呼ファックス装置に送信されたか否かを検出するステップと、
（ｃ）ステップ（ｂ）において識別トーンが検出された場合に、検出しきい値をデクリメントするステップと、
（ｄ）被呼ファックス装置から送られた信号を検出器でモニタすることによって、フラグ基準を発生させるステップと、
（ｅ）フラグ基準を検出しきい値と比較するステップと、
（ｆ）ステップ（ｅ）の結果にしたがって、ファックス通話を検出するステップとを含み、
フラグ基準は、検出器によって検出された情報フラグの数を表している方法。
【請求項８】
フラグ基準は、ステップ（ｄ）において、信号中のパラメータをモニタすることによって発生され、パラメータは、信号の中に存在する選択された情報フラグの数を表している請求項７記載の方法。
【請求項９】
選択された情報フラグは、Ｖ．２１標準規格に準拠するメッセージのプリアンブル中のフラグを表す請求項８記載の方法。
【請求項１０】
ステップ（ｄ）においてモニタされたパラメータは、信号に関係するインバンド電力レベルに対応する請求項８記載の方法。
【請求項１１】
インバンド電力レベルは、約１６５０Ｈｚと１８５０Ｈｚとに置かれた周波数帯の電力に対応する請求項１０記載の方法。
【請求項１２】
ステップ（ｄ）においてモニタされたパラメータは、信号に関係するスペクトル形状にしたがって決定される請求項８記載の方法。
【請求項１３】
発呼ファックス装置が発呼トーンを被呼ファックス装置に送ることによって被呼ファックス装置と通信し、被呼ファックス装置が識別トーンおよび情報フラグを発呼ファックス装置に送ることによって発呼トーンに応答するファックスシステム中で、ファックス通話を検出する方法において、
（ａ）検出しきい値を第１の値に初期化するステップと、
（ｂ）発呼トーンが発呼ファックス装置から被呼ファックス装置に送信されたか否かを検出するステップと、
（ｃ）ステップ（ｂ）において発呼トーンが検出された場合に、検出しきい値を第１の値よりも小さい第２の値に減少させるステップと、
（ｄ）識別トーンが被呼ファックス装置から発呼ファックス装置に送信されたか否かを検出するステップと、
（ｅ）ステップ（ｄ）において識別トーンが検出され、ステップ（ｂ）において発呼トーンが検出されなかった場合に、検出しきい値を第２の値よりも小さい第３の値に減少させるステップと、
（ｆ）ステップ（ｄ）において識別トーンが検出され、ステップ（ｂ）において発呼トーンが検出された場合に、検出しきい値を第３の値よりも小さい第４の値に減少させるステップと、
（ｇ）被呼ファックス装置から送られた信号を検出器でモニタすることによって第１のフラグ基準を発生させるステップと、
（ｈ）第１のフラグ基準を検出しきい値と比較するステップと、
（ｉ）ステップ（ｈ）の結果にしたがって、ファックス通話を検出するステップとを含み、
第１のフラグ基準は、検出器によって検出された情報フラグの数を表している方法。
【請求項１４】
ステップ（ｉ）は、
（ａ）第１のフラグ基準が検出しきい値を超える場合に、ボコーダ入力をミュートするステップと、
（ｂ）ボコーダ入力がミュートされている間、被呼ファックス装置から送られた信号を検出器でモニタすることによって、第２のフラグ基準を発生させるステップと、
（ｃ）検出しきい値を第１の値よりも大きい第５の値に設定するステップと、
（ｄ）ステップ（ｃ）の後で、第２のフラグ基準を検出しきい値と比較するステップと、
（ｅ）第２のフラグ基準が検出しきい値を超えた場合に、ファックス通話を検出するステップとを含み、
第２のフラグ基準は、被呼ファックス装置から送られる連続的な情報フラグの数を表している請求項１３記載の方法。
【請求項１５】
ステップ（ｂ）において発呼トーンが検出された場合に、第１の時間を設定するステップをさらに含む請求項１３記載の方法。
【請求項１６】
ステップ（ｈ）は、
（ａ）第１のフラグ基準を検出しきい値と比較するステップと、
（ｂ）第１のフラグ基準が検出しきい値を超えた場合に、第１タイマがタイムアウトしたか否かを決定するステップと、
（ｃ）第１のフラグ基準がタイムアウトしていた場合に、検出しきい値を第１の値に初期化するステップとを含む請求項１５記載の方法。
【請求項１７】
ステップ（ｄ）において識別トーンが検出された場合に、第２のタイマを設定するステップをさらに含む請求項１５記載の方法。
【請求項１８】
ステップ（ｈ）は、
（ａ）第１のフラグ基準を検出しきい値と比較するステップと、
（ｂ）第１のフラグ基準が検出しきい値を超えていない場合に、第１のタイマあるいは第２のタイマがタイムアウトしているか否かを決定するステップと、
（ｃ）第１のタイマあるいは第２のタイマのどちらかがタイムアウトしていた場合に、検出しきい値を第１の値に初期化するステップとを含む請求項１７記載の方法。
【請求項１９】
第１のタイマは第１の予め定められた時間期間でタイムアウトし、第２のタイマは第２の予め定められた時間期間でタイムアウトし、第１の予め定められた時間期間は第２の予め定められた時間期間よりも長い請求項１８記載の方法。
【請求項２０】
第１のフラグ基準は、ステップ（ｇ）において、信号中のパラメータをモニタすることによって発生され、パラメータは、信号中に存在する選択された情報フラグの数を表している請求項１３記載の方法。
【請求項２１】
選択された情報フラグは、Ｖ．２１標準規格に準拠するメッセージのブリアンブル中のフラグを表す請求項２０記載の方法。
【請求項２２】
ステップ（ｇ）においてモニタされたパラメータは、信号に関係するインバンド電力レベルに対応する請求項２１記載の方法。
【請求項２３】
インバンド電力レベルは、約１６５０Ｈｚと１８５０Ｈｚとに置かれた周波数帯の電力に対応する請求項２２記載の方法。
【請求項２４】
ステップ（ｇ）においてモニタされたパラメータは、信号に関係するスペクトル形状にしたがって決定される請求項２０記載の方法。
【請求項２５】
発呼ファックス装置と被呼ファックス装置とは、送信チャネルで結合され、検出器は、被呼ファックス装置と送信チャネルとの間に置かれている請求項１３記載の方法。
【請求項２６】
発呼ファックス装置と被呼ファックス装置とは送信チャネルで結合され、検出器は第１のファックス検出器と第２のファックス検出器とから形成され、第１のファックス検出器は送信チャネルと被呼ファックス装置との間に置かれ、第２のファックス検出器は発呼ファックス装置と送信チャネルとの間に置かれ、第１のファックス検出器は、識別トーンと情報フラグとを検出するために使用され、第２のファックス検出器は、発呼トーンを検出するために使用される請求項１３記載の方法。
【請求項２７】
発呼ファックス装置と被呼ファックス装置とは、送信チャネルで結合され、検出器は、発呼ファックス装置と送信チャネルとの間に置かれている請求項１３記載の方法。
【請求項２８】
発呼トーンは、Ｔ．３０ファックスプロトコルに準拠するＣＮＧトーンに対応する請求項１３記載の方法。
【請求項２９】
識別トーンは、Ｔ．３０ファックスプロトコルに準拠するＣＥＤトーンに対応する請求項１３記載の方法。
【請求項３０】
ステップ（ｉ）におけるファックス通話を検出するステップにしたがって、音声モードとファックスモードとの間でネットワークをスイッチングするステップをさらに含む請求項１３記載の方法。
【請求項３１】
発呼ファックス装置が発呼トーンを被呼ファックス装置に送ることによって被呼ファックス装置と通信し、被呼ファックス装置が識別トーンと情報フラグとを発呼ファックス装置に送ることによって発呼トーンに応答するファックスシステム中で、ファックス通話を検出する装置において、
（ａ）発呼トーンが、発呼ファックス装置から被呼ファックス装置に送信されたか否かを検出する第１の検出器と、
（ｂ）被呼ファックス装置から発呼ファックス装置に送信された情報フラグを検出する第２の検出器と、
（ｃ）第１の検出器および第２の検出器と結合され、発呼トーンが発呼ファックス装置から被呼ファックス装置に送信された場合に検出しきい値をデクリメントする手段と、第２の検出器によって検出された情報フラグの数を表しているフラグ基準を発生させる手段と、フラグ基準を検出しきい値と比較する手段とを備えた制御装置とを具備するファックス通話を検出する装置。
【請求項３２】
発呼ファックス装置が発呼トーンを被呼ファックス装置に送ることによって被呼ファックス装置と通信し、被呼ファックス装置が識別トーンと情報フラグとを発呼ファックス装置に送ることによって発呼トーンに応答するファックスシステム中で、ファックス通話を検出する装置において、
（ａ）識別トーンが、被呼ファックス装置から発呼ファックス装置に送信されたか否かを検出する第１の検出器と、
（ｂ）被呼ファックス装置から発呼ファックス装置に送信された情報フラグを検出する第２の検出器と、
（ｃ）第１の検出器および第２の検出器と結合され、識別トーンが被呼ファックス装置から発呼ファックス装置に送信された場合に検出しきい値をデクリメントする手段と、第２の検出器によって検出された情報フラグの数を表しているフラグ基準を発生させる手段と、フラグ基準を検出しきい値と比較する手段とを備えた制御装置とを具備するファックス通話を検出する装置。
【請求項３３】
発呼ファックス装置が発呼トーンを被呼ファックス装置に送ることによって被呼ファックス装置と通信し、被呼ファックス装置が識別トーンと情報フラグとを発呼ファックス装置に送ることによって発呼トーンに応答するファックスシステム中で、ファックス通話を検出する装置において、
（ａ）発呼トーンが、発呼ファックス装置から被呼ファックス装置に送信されたか否かを検出する第１の検出器と、
（ｂ）識別トーンが、被呼ファックス装置から発呼ファックス装置に送信されたか否かを検出する第２の検出器と、
（ｃ）被呼ファックス装置から発呼ファックス装置に送信された情報フラグを検出する第３の検出器と、
（ｄ）第１の検出器、第２の検出器および第３の検出器と結合され、発呼トーンが発呼ファックス装置から被呼ファックス装置に送信された場合に検出しきい値をデクリメントする手段と、識別トーンが被呼ファックス装置から発呼ファックス装置に送信された場合に検出しきい値をデクリメントする手段と、第３の検出器によって検出された情報フラグの数を表しているフラグ基準を発生させる手段と、フラグ基準を検出しきい値と比較する手段とを備えた制御装置とを具備するファックス通話を検出する装置。
【請求項３４】
発呼ファックス装置が発呼トーンを被呼ファックス装置に送ることによって被呼ファックス装置と通信し、被呼ファックス装置が情報フラグを発呼ファックス装置に送るファックスシステム中で、ファックス通話を検出する装置において、
（ａ）検出しきい値を初期化する手段と、
（ｂ）発呼トーンが、発呼ファックス装置から被呼ファックス装置に送信されたか否かを検出する第１の手段と、
（ｃ）発呼トーンが第１の検出手段によって検出された場合に、検出しきい値をデクリメントする手段と、
（ｄ）被呼ファックス装置から送られた信号を第２の検出手段でモニタすることによって、フラグ基準を発生させる手段と、
（ｅ）フラグ基準を検出しきい値と比較する手段と、
（ｆ）比較手段の結果にしたがって、ファックス通話を検出する手段とを具備し、
フラグ基準は、第２の検出手段によって検出された情報フラグの数を表している装置。
【請求項３５】
発呼ファックス装置が発呼トーンを被呼ファックス装置に送ることによって被呼ファックス装置と通信し、被呼ファックス装置が識別トーンと情報フラグとを発呼ファックス装置に送ることによって発呼トーンに応答するファックスシステム中で、ファックス通話を検出する装置において、
（ａ）検出しきい値を初期化する手段と、
（ｂ）識別トーンが、被呼ファックス装置から発呼ファックス装置に送信されたか否かを検出する第１の手段と、
（ｃ）識別トーンが第１の検出手段によって検出された場合に、検出しきい値をデクリメントする手段と、
（ｄ）被呼ファックス装置から送られた信号を第２の検出手段でモニタすることによって、フラグ基準を発生させる手段と、
（ｅ）フラグ基準を検出しきい値と比較する手段と、
（ｆ）比較手段の結果にしたがって、ファックス通話を検出する手段とを具備し、
フラグ基準は、第２の検出手段によって検出された情報フラグの数を表しているファックス通話を検出する装置。
【請求項３６】
発呼ファックス装置が発呼トーンを被呼ファックス装置に送ることによって被呼ファックス装置と通信し、被呼ファックス装置が識別トーンと情報フラグとを発呼ファックス装置に送ることによって発呼トーンに応答するファックスシステム中で、ファックス通話を検出する装置において、
（ａ）検出しきい値を第１の値に初期化する手段と、
（ｂ）発呼トーンが、発呼ファックス装置から被呼ファックス装置に送信されたか否かを検出する第１の検出手段と、
（ｃ）発呼トーンが第１の検出手段によって検出された場合に、検出しきい値を第１の値よりも小さい第２の値に減少させる第１の減少手段と、
（ｄ）識別トーンが、被呼ファックス装置から発呼ファックス装置に送信されたか否かを検出する第２の検出手段と、
（ｅ）識別トーンが第２の検出手段によって検出され、発呼トーンが第１の検出手段によって検出されなかった場合に、検出しきい値を第２の値よりも小さい第３の値に減少させる第２の減少手段と、
（ｆ）識別トーンが第２の検出手段によって検出され、発呼トーンが第１の検出手段によって検出された場合に、検出しきい値を第３の値よりも小さい第４の値に減少させる第３の減少手段と、
（ｇ）被呼ファックス装置から送られた信号を第３の検出手段でモニタすることによって第１のフラグ基準を発生させる手段と、
（ｈ）第１のフラグ基準を検出しきい値と比較する手段と、
（ｉ）比較手段の結果にしたがって、ファックス通話を検出する手段とを具備し、
第１のフラグ基準は、第３の検出手段によって検出された情報フラグの数を表している装置。